(57)【要約】【課題】プラスチックレンズとガラスレンズとを併用するとともに、広い温度範囲で安定した特性を得ることができる広角レンズを提供すること。【解決手段】広角レンズ１００は、物体側Ｌａより順に配置された第１レンズＬ１、第２レンズＬ２、第３レンズＬ３、絞り６０、第４レンズＬ４、第５レンズＬ５および第６レンズＬ６からなる。第１レンズＬ１および第４レンズＬ４はガラスレンズであり、第２レンズＬ２、第３レンズ、第５レンズＬ５および第６レンズＬ６はプラスチックレンズである。第４レンズＬ４の像側Ｌｂの凸面（第１０面１０）の中心曲率半径Ｒ42、および広角レンズ１００全体の焦点距離ｆ0は、以下の第１条件式を満たしている。このため、温度が変化した際の焦点の移動量を低減することができるとともに、温度が変化した際の画角の変化量を低減することができる。    （２×ｆ0）≦｜Ｒ42｜≦（５×ｆ0）【選択図】図１
2018055045.tif 000002
【特許請求の範囲】
【請求項１】
物体側より順に配置された第１レンズ、第２レンズ、第３レンズ、絞り、第４レンズ、第５レンズおよび第６レンズからなり、
前記第１レンズは、物体側に凸面を向けた負メニスカスレンズであり、
前記第２レンズは、物体側に凸面を向けた負メニスカスレンズであり、
前記第３レンズは、物体側に凹面を向けた正メニスカスレンズであり、
前記第４レンズは、物体側および像側に凸面を向けた正レンズであり、
前記第５レンズは、物体側および像側に凹面を向けた負レンズであり、
前記第６レンズは、物体側および像側に凸面を向けた正レンズであり、
前記第４レンズはガラスレンズであり、
前記第２レンズ、前記第３レンズ、前記第５レンズおよび前記第６レンズはプラスチックレンズであり、
前記第５レンズと前記第６レンズは、前記第５レンズの像側の面と前記第６レンズの物体側の面とが接着剤により接合された接合レンズを構成しており、
前記第４レンズの像側の面の中心曲率半径をＲ42とし、全体の焦点距離をｆ0としたとき、中心曲率半径Ｒ42および焦点距離ｆ０は、以下の条件式
２×ｆ0≦｜Ｒ42｜≦５×ｆ0
を満たしていることを特徴とする広角レンズ。
【請求項２】
前記第４レンズの物体側の面の中心曲率半径をＲ41としたとき、中心曲率半径Ｒ41、Ｒ42は、以下の条件式
｜Ｒ41｜≧｜Ｒ42｜
を満たしていることを特徴とする請求項１に記載の広角レンズ。
【請求項３】
前記第１レンズはガラスレンズであることを特徴とする請求項１または２に記載の広角レンズ。
【請求項４】
前記第６レンズの中心厚をＴ6とし、前記第６レンズの物体側の面の光線有効エリアの周辺厚みをＣ6としたとき、中心厚Ｔ6および周辺厚みＣ6は、以下の条件式
２≦（Ｔ6／Ｃ6）≦３
を満たしていることを特徴とする請求項３に記載の広角レンズ。
【発明の詳細な説明】
【技術分野】
【０００１】
本発明は、車等に搭載される広角レンズに関するものである。
【背景技術】
【０００２】
車等において撮像用途で使用されるレンズには、広角および高解像度が要求されているとともに、安定した温度特性も求められる。従って、広角レンズをプラスチックレンズで構成すると、十分な温度特性を得ることができない一方、広角レンズをガラスレンズで構成すると、温度特性を向上することはできるが、部品コストが上昇してしまう。一方、物体側より順に第１レンズ、第２レンズ、第３レンズ、絞り、第４レンズ、第５レンズおよび第６レンズを配置するとともに、第２レンズ、第３レンズおよび第４レンズをプラスチックレンズとし、第１レンズ、第５レンズおよび第６レンズをガラスレンズとした広角レンズが提案されている（特許文献１参照）。
【先行技術文献】
【特許文献】
【０００３】
【特許文献１】特許第４９４７７００号公報
【発明の概要】
【発明が解決しようとする課題】
【０００４】
車等に搭載される広角レンズには、環境温度に対応できる広い温度範囲で安定した特性が求められる。しかしながら、特許文献１に記載の広角レンズでは、絞りの両側に配置された第３レンズおよび第４レンズがプラスチックレンズであるため、広い温度範囲で安定した特性を得ることができないという問題点がある。
【０００５】
以上の問題点に鑑みて、本発明の課題は、プラスチックレンズとガラスレンズとを併用するとともに、広い温度範囲で安定した特性を得ることができる広角レンズを提供することにある。
【課題を解決するための手段】
【０００６】
上記課題を解決するために、本発明に係る広角レンズは、物体側より順に配置された第１レンズ、第２レンズ、第３レンズ、絞り、第４レンズ、第５レンズおよび第６レンズからなり、前記第１レンズは、物体側に凸面を向けた負メニスカスレンズであり、前記第２レンズは、物体側に凸面を向けた負メニスカスレンズであり、前記第３レンズは、物体側に凹面を向けた正メニスカスレンズであり、前記第４レンズは、物体側および像側に凸面を向けた正レンズであり、前記第５レンズは、物体側および像側に凹面を向けた負レンズであり、前記第６レンズは、物体側および像側に凸面を向けた正レンズであり、前記第４レンズはガラスレンズであり、前記第２レンズ、前記第３レンズ、前記第５レンズおよび前記第６レンズはプラスチックレンズであり、前記第５レンズと前記第６レンズは、前記第５レンズの像側の面と前記第６レンズの物体側の面とが接着剤により接合された接合レンズを構成しており、前記第４レンズの像側の面の中心曲率半径をＲ42とし、全体の焦点距離をｆ0としたとき、中心曲率半径Ｒ42および焦点距離ｆ０は、以下の条件式
２×ｆ0≦｜Ｒ42｜≦５×ｆ0
を満たしていることを特徴とする。
【０００７】
本発明では、プラスチックレンズとガラスレンズとを併用したため、全体をガラスレンズとした場合と比較してコストを低減することができる。また、絞りの両側に配置されたレンズ（第３レンズおよび第４レンズ）のうちの一方（第４レンズ）をガラスレンズとし
たため、温度特性を向上することができる。また、第４レンズについては、像側の面の中心曲率半径Ｒ42、および全体の焦点距離ｆ０が以下の条件式
２×ｆ0≦｜Ｒ42｜≦５×ｆ0
を満たしているため、光束の最も端を通る光線と第４レンズの像側の面とが成す角度が直角に近い。このため、温度が変化した際の焦点の移動量を低減することができるとともに、温度が変化した際の画角の変化量を低減することができる。従って、広い温度範囲にわたって安定した特性を得ることができる。
【０００８】
本発明において、前記第４レンズの物体側の面の中心曲率半径をＲ41としたとき、中心曲率半径Ｒ41、Ｒ42は、以下の条件式
｜Ｒ41｜≧｜Ｒ42｜
を満たしている態様を採用することができる。かかる態様によれば、各種収差を適正に補正することができる。
【０００９】
本発明において、前記第１レンズはガラスレンズである態様を採用することができる。かかる態様によれば、最も外側に位置する第１レンズの物体側の面に傷がつきにくい。
【００１０】
本発明において、前記第６レンズの中心厚をＴ6とし、前記第６レンズの物体側の面の光線有効エリアの周辺厚みをＣ6としたとき、中心厚Ｔ6および周辺厚みＣ6は、以下の条件式
２≦（Ｔ6／Ｃ6）≦３
を満たしている態様を採用することができる。第１レンズがガラスレンズである場合、基本的にはアッベ数が大きい程、倍率色収差を低減することができる。但し、アッベ数が大きい場合、屈折率が小さくなるため、第１レンズの有効径を大きくする必要がある。このような場合でも、レンズユニットの外径寸法の制約から第１レンズの有効径を小さくせざるを得ない場合があり、その場合、色収差が大きくなる。それでも、第６レンズの中心厚Ｔ6および周辺厚みＣ6が以下の条件式
２≦（Ｔ6／Ｃ6）≦３
を満たしていれば、色収差を適正に補正することができる。
【発明の効果】
【００１１】
本発明では、プラスチックレンズとガラスレンズとを併用したため、全体をガラスレンズとした場合と比較してコストを低減することができる。また、絞りの両側に配置されたレンズ（第３レンズおよび第４レンズ）のうちの一方（第４レンズ）をガラスレンズとしたため、温度特性を向上することができる。また、第４レンズについては、像側の面の中心曲率半径Ｒ42、および全体の焦点距離ｆ０が以下の条件式
２×ｆ0≦｜Ｒ42｜≦５×ｆ0
を満たしているため、光束の最も端を通る光線と第４レンズの像側の面とが成す角度が直角に近い。このため、温度が変化した際の焦点の移動量を低減することができるとともに、温度が変化した際の画角の変化量を低減することができる。従って、広い温度範囲にわたって安定した特性を得ることができる。
【図面の簡単な説明】
【００１２】
【図１】本発明の実施の形態１に係る広角レンズの構成を示す説明図である。
【図２】本発明の実施の形態１に係る広角レンズのＭＴＦ特性を示すグラフである。
【図３】発明の実施の形態１に係る広角レンズのＭＦＴ特性の温度特性を示すグラフである。
【図４】発明の実施の形態２に係る広角レンズのＭＦＴ特性の温度特性を示すグラフである。
【図５】発明の実施の形態３に係る広角レンズのＭＦＴ特性の温度特性を示すグラフである。
【発明を実施するための形態】
【００１３】
以下に、図面を参照して、本発明を適用した広角レンズの実施の形態を説明する。なお、以下の説明において、光軸Ｌが延在する方向において物体側にＬａを付し、像側にＬｂを付してある。
【００１４】
［実施の形態１］
（全体構成）
図１は、本発明の実施の形態１に係る広角レンズ１００の構成を示す説明図である。表１には、本発明の実施の形態１に係る広角レンズ１００のレンズデータを示してある。なお、図１に各面１〜１６を表すにあたって、非球面には「＊」を付してある。また、表１の上段には、各面の中心曲率半径（Radius）、厚さ（Thickness）、屈折率ｎｄ、アッベ数νｄ、円錐係数Ｋ、線膨張係数が示されており、中心曲率半径や厚さの単位はｍｍである。また、レンズ面が物体側Ｌａに向けて突出した凸面あるいは物体側Ｌａに向けて凹んだ凹面である場合には、中心曲率半径を正の値とし、レンズ面が像側Ｌｂに向けて突出した凸面あるいは像側に向けて凹んだ凹面である場合、中心曲率半径を負の値としてある。また、表１の下欄には、非球面の形状を下式（数１）で表した際の非球面係数Ａ4、Ａ6、Ａ8、Ａ10・・が示されている。
【００１５】
【表１】
2018055045.tif 000003
【００１６】
下式において、サグ量（光軸方向の軸）をＺ、光軸と垂直方向の高さ（光線高さ）をｒ、円錐係数をＫ、中心曲率半径の逆数をｃとしてある。
【００１７】
【数１】
2018055045.tif 000004
【００１８】
図１および表１に示すように、広角レンズ１００は、物体側Ｌａより順に配置された第１レンズＬ１、第２レンズＬ２、第３レンズＬ３、絞り６０、第４レンズＬ４、第５レンズＬ５および第６レンズＬ６からなり、第６レンズＬ６に対して像側Ｌｂに平板状のフィルタ７０や撮像素子８０が配置されている。本形態において、広角レンズ１００は立体射影方式であり、理想像高を基準としたときの最大ディストーションは、絶対値で２０％以下に設計されている。
【００１９】
広角レンズ１００は、レンズ系全体の焦点距離ｆ0（有効焦点距離：Effective Focal Length）が０．８７６ｍｍであり、Ｆ値が２．０であり、物像間距離（Total Track）が１２．４ｍｍである。また、広角レンズ１００は、垂直画角が１５０．８°であり、水平画角が１９８．２°である。
【００２０】
なお、図１および表１には、第１レンズＬ１に対して物体側Ｌａに仮想面９０（画像）が存在するものとし、かかる仮想面９０を第１面１としてある。また、絞り６０によって第８面８が構成され、フィルタ７０によって第１５面１５が構成され、撮像素子８０によって第１６面１６が構成されている。
【００２１】
（レンズ構成）
第１レンズＬ１は、物体側Ｌａに凸面（第２面２）を向けた負メニスカスレンズ（負のパワーを有するメニスカスレンズ）であり、像側Ｌｂに凹面（第３面３）を向けている。第２レンズＬ２は、物体側Ｌａに凸面（第４面４）を向けた負メニスカスレンズ（負のパワーを有するメニスカスレンズ）であり、像側Ｌｂに凹面（第５面５）を向けている。第３レンズＬ３は、物体側Ｌａに凹面（第６面）を向けた正メニスカスレンズ（正のパワーを有するメニスカスレンズ）であり、像側Ｌｂに凸面（第７面７）を向けている。第４レンズＬ４は、物体側Ｌａおよび像側Ｌｂに凸面（第９面９および第１０面１０）を向けた正レンズ（正のパワーを有する両凸レンズ）である。第５レンズＬ５は、物体側Ｌａおよび像側Ｌｂに凹面（第１１面１１および第１２面１２）を向けた負レンズ（負のパワーを有する両凹レンズ）である。第６レンズＬ６は、物体側Ｌａおよび像側Ｌｂに凸面（第１３面１３および第１４面１４）を向けた正レンズ（正のパワーを有する両凸レンズ）である。
【００２２】
第１レンズＬ１の物体側Ｌａの凸面（第２面２）および像側Ｌｂの凹面（第３面３）は、いずれも球面である。第２レンズＬ２の物体側Ｌａの凸面（第４面４）および像側Ｌｂの凹面（第５面５）は、いずれも非球面である。第３レンズＬ３の物体側Ｌａの凹面（第６面）および像側Ｌｂの凸面（第７面７）は、いずれも非球面である。第４レンズＬ４の物体側Ｌａの凸面（第９面９）および像側Ｌｂの凸面（第１０面１０）は、いずれも球面である。第５レンズＬ５の物体側Ｌａの凹面（第１１面１１）および像側Ｌｂの凹面（第１２面１２）は、いずれも非球面である。第６レンズＬ６の物体側Ｌａの凸面（第１３面）および像側Ｌｂの凸面（第１４面１４）は、いずれも非球面である。ここで、第５レンズＬ５と第６レンズＬ６とは、第５レンズＬ５の像側Ｌｂの凹面（第１２面１２）と第６レンズＬ６の物体側Ｌａの凸面（第１３面１３）とが接着剤５０により接合された接合レンズＬ７を構成している。従って、接着剤５０の物体側Ｌａの面（第５レンズＬ５の像側Ｌｂの凹面）が第１２面１２を構成している。
【００２３】
本形態において、第４レンズＬ４はガラスレンズであり、各種レンズ材料のうち、−４０℃〜＋１２０℃の範囲において屈折率の温度係数がリニアに変化するものが用いられている。第２レンズＬ２、第３レンズ、第５レンズＬ５および第６レンズＬ６は、アクリル樹脂系、ポリカーボネート系、ポリオレフィン系等のプラスチックレンズである。第１レンズＬ１は、ガラスレンズおよびプラスチックレンズのいずれであってもよいが、本形態
において、第１レンズＬ１は、ガラスレンズである。従って、最も外側に位置する第１レンズＬ１の物体側の凸面（第２面２）が露出している場合でも、第１レンズＬ１に傷がつきにくい。
【００２４】
（レンズの詳細構成）
広角レンズ１００において、第４レンズＬ４の像側Ｌｂの凸面（第１０面１０）の中心曲率半径Ｒ42は、−２．４２ｍｍである。また、広角レンズ１００全体の焦点距離ｆ0（有効焦点距離）は、０．８７６ｍｍである。従って、中心曲率半径Ｒ42および焦点距離ｆ０は、以下の第１条件式を満たしている。
（２×ｆ0）＝1.752≦｜Ｒ42｜＝2.42≦（５×ｆ0）＝4.38
なお、ガラスレンズからなる第４レンズＬ４の像側Ｌｂの凸面（第９面９）の中心曲率半径Ｒ42が２×ｆ0以上であるため、ガラス成形が容易であるとともに、レンズ面を研磨により形成しやすくなるといえる。
【００２５】
また、第４レンズＬ４の物体側Ｌａの凸面（第９面９）の中心曲率半径Ｒ41は、６．８９ｍｍである。従って、中心曲率半径Ｒ41、Ｒ42は、以下の第２条件式を満たしている。
｜Ｒ41｜＝6.89≧｜Ｒ42｜＝2.42
【００２６】
また、第６レンズＬ６の中心厚Ｔ6は２．０１ｍｍであり、第６レンズＬ６の物体側Ｌａの物体側Ｌａの凸面（第１３面１３）の光線有効エリアの周辺厚みＣ6は０．７２ｍｍである。従って、中心厚Ｔ6および周辺厚みＣ6は、以下の第３条件式を満たしている。
２≦（Ｔ6／Ｃ6）＝2.79≦３
【００２７】
本形態では、ガラスレンズからなる第１レンズＬ１の屈折率ｎｄおよびアッベ数νｄが各々、１．８３４８および４２．７２である。これに対して、ガラスレンズからなる第４レンズＬ４については、−４０℃〜＋１２０℃の範囲において屈折率の温度係数がリニアに変化するレンズ材料を選択したため、第４レンズＬ４の屈折率ｎｄおよびアッベ数νｄは各々、屈折率ｎｄが１．６９６８および５５．４６である。その結果、第１レンズＬ１および第４レンズＬ４は、以下の条件を満たすようになっている。
第１レンズＬ１の屈折率ｎｄ＞第４レンズＬ４の屈折率ｎｄ
第１レンズＬ１のアッベ数νｄ＜第４レンズＬ４のアッベ数νｄ
【００２８】
（色収差特性）
表２には、本発明の実施の形態１に係る広角レンズ１００の色収差（軸上色収差および倍率色収差）を示してある。なお、表２には、波長５４６ｎｍの光を基準としたときの軸上色収差、垂直方向における画角の端部（Ｖ端：実像高＝１．３４４ｍｍ）、水平方向における画角の端部（Ｈ端：実像高＝１．７９２ｍｍ）、対角画角（最大画角）における端部（実像高＝１．９２６ｍｍ）における倍率収差を示してある。表２から分かるように、本形態の広角レンズ１００では、青色光（波長４７３ｎｍ）から赤色光（波長６６８ｎｍ）までの可視域の略全域にわたって色収差が小さい。
【００２９】
【表２】
2018055045.tif 000005
【００３０】
（画角−温度特性）
表３には、本発明の実施の形態１に係る広角レンズ１００の画角−温度特性を示してあり、２５℃の温度からの画角の変化を示してある。表３から分かるように、本形態の広角レンズ１００では、−４０℃から＋１１５℃という広い温度範囲にわたって、垂直画角、水平画角、および対角画角の変化が小さい。
【００３１】
【表３】
2018055045.tif 000006
【００３２】
（ＭＴＦ特性）
図２は、本発明の実施の形態１に係る広角レンズ１００のＭＴＦ特性を示すグラフであり、図２（ａ）、（ｂ）は各々、タンジェンシャル（Tangential）方向のＭＴＦ（Modulation Transfer Function）特性を示すグラフ、およびサジタル（Sagittal）方向のＭＴＦ特性を示すグラフである。図３は、発明の実施の形態１に係る広角レンズ１００のＭＦＴ特性の温度特性を示すグラフであり、図３（ａ）、（ｂ）、（ｃ）は各々、中央でのＭＦＴ特性の温度特性を示すグラフ、画角９３°でのタンジェンシャル（Tangential）方向のＭＦＴ特性の温度特性を示すグラフ、および画角９３°でのサジタル（Sagittal）方向のＭＦＴ特性の温度特性を示すグラフである。なお、図２には、像高（画角）が０ｍｍ（０％）、０．２２４ｍｍ（１０％）、０．４４８ｍｍ（２０％）、０．６７２ｍｍ（３０％）、０．８９６ｍｍ（４０％）、１．１２０ｍｍ（５０％）、１．３４４ｍｍ（６０％）、１．５６８ｍｍ（７０％）、１．７９２ｍｍ（８０％）、１．９２８ｍｍ（８６％）におけるＭＴＦ特性を示してある。図３には、−４０℃、−３０℃、０℃、＋２５℃、＋５５℃、＋８０℃、＋１０５℃、＋１１５℃の各温度における特性を示してある。
【００３３】
図２に示すように、本形態の広角レンズ１００は十分な解像度を有する。また、図３から分かるように、本形態の広角レンズ１００は、−４０℃から＋１１５℃という広い温度範囲にわたって十分な解像度を有する。
【００３４】
（本形態の主な効果）
以上説明したように、本形態の広角レンズ１００では、４枚のプラスチックレンズと２枚のガラスレンズとを併用したため、全体をガラスレンズとした場合と比較してコストを低減することができる。また、絞り６０の両側に配置されたレンズ（第３レンズＬ３および第４レンズＬ４）のうちの一方（第４レンズＬ４）をガラスレンズとしたため、温度特性を向上することができる。また、第４レンズＬ４については、像側Ｌｂの凸面（第９面９）の中心曲率半径Ｒ42、および全体の焦点距離ｆ０が第１条件式を満たしているため、光束の最も端を通る光線と第４レンズＬ４の像側の面とが成す角度が直角に近い。このため、温度が変化した際の焦点の移動量を低減することができるとともに、温度が変化した際の画角の変化量を低減することができる。従って、広い温度範囲にわたって安定した特性を得ることができる。
【００３５】
また、第４レンズＬ４の物体側Ｌａの凸面（第９面９）の中心曲率半径Ｒ41および像側Ｌｂの凸面（第１０面１０）の中心曲率半径Ｒ42が第２条件式を満たしているため、各種収差を適正に補正することができる。また、第４レンズＬ４の屈折率ｎｄが比較的小さいため、像側Ｌｂの凸面（第１０面１０）の中心曲率半径Ｒ42の絶対値が（５×ｆ０）と小さい。このため、第４レンズＬ４の物体側Ｌａの凸面（第９面９）と撮像素子８０との間でのゴーストの発生を抑制することができる。
【００３６】
また、本形態では、第１レンズＬ１として屈折率ｎｄが大きいものを用いたが、色収差をさらに低減することを目的に、第１レンズＬ１の屈折率ｎｄを小さくした場合でも、倍率色収差を効果的に低減することができるように、第６レンズＬ６の中心厚Ｔ6、および第６レンズＬ６の物体側Ｌａの面の光線有効エリアの周辺厚みＣ6が第３条件式を満たすように構成されている。すなわち、第１レンズＬ１はガラスレンズであるため、基本的にはアッベ数νｄが大きい程、倍率色収差を低減することができるが、アッベ数νｄが大きい場合、屈折率ｎｄが小さくなるため、第１レンズＬ１の有効径を大きくする必要がある。それにもかかわらず、レンズユニットの外径寸法の制約から第１レンズＬ１の有効径を小さくせざるを得ない場合があり、その場合、第１レンズＬ１の曲率半径を小さくする必要がある。その結果、倍率色収差が逆に大きくなるが、第６レンズＬ６の中心厚Ｔ6および周辺厚みＣ6が第３条件式を満たしていれば、色収差を適正に補正することができる。
【００３７】
［実施の形態２］
図４は、本発明の実施の形態２に係る広角レンズ１００のＭＴＦ特性を示すグラフである。図４（ａ）、（ａ）、（ｂ）は各々、中央でのＭＴＦ特性を示すグラフ、タンジェンシャル方向のＭＴＦ特性を示すグラフ、およびサジタル方向のＭＴＦ特性を示すグラフであり、−４０℃、＋２５℃、＋８０℃、＋１０５℃の各温度における特性を示してある。表４に、本発明の実施の形態２に係る広角レンズ１００のレンズデータを示す。なお、本形態および後述する実施の形態３に係る広角レンズ１００の基本的な構成は、実施の形態１と同様であるため、共通する部分には同一の符号を付してそれらの詳細な説明を省略する。
【００３８】
【表４】
2018055045.tif 000007
【００３９】
本形態の広角レンズ１００において、第４レンズＬ４の像側Ｌｂの凸面（第１０面１０）の中心曲率半径Ｒ42は、−２．７９３７７ｍｍである。また、広角レンズ１００全体の焦点距離ｆ0（有効焦点距離）は、０．８７５５ｍｍである。従って、中心曲率半径Ｒ42および広角レンズ１００全体の焦点距離ｆ０は、以下の第１条件式を満たしている。
（２×ｆ0）＝1.751≦｜Ｒ42｜＝２．７９３７７≦（5×ｆ0）＝4.3775
【００４０】
また、第４レンズＬ４の物体側Ｌａの凸面（第９面９）の中心曲率半径Ｒ41は、９．３８１４２ｍｍである。従って、中心曲率半径をＲ41、Ｒ42は、以下の第２条件式を満たしている。
｜Ｒ41｜＝9.38142≧｜Ｒ42｜≒2.79377
【００４１】
また、第６レンズＬ６の中心厚Ｔ6は、１．９６１ｍｍであり、中心厚Ｔ6および第６レンズＬ６の物体側Ｌａの物体側Ｌａの凸面（第１３面１３）の光線有効エリアの周辺厚みＣ6は、０．７２５９ｍｍである。従って、中心厚Ｔ6および周辺厚みＣ6は、以下の第３条件式を満たしている。
２≦（Ｔ6／Ｃ6）＝2.7015≦３
【００４２】
それ故、表５および図４に示すように、本形態の広角レンズ１００も実施の形態１と同様な効果を奏する。表５には、本発明の実施の形態２に係る広角レンズ１００の画角−温度特性を示してあり、２５℃の温度からの画角の変化を示してある。表５から分かるように、本形態の広角レンズ１００では、−４０℃から＋１０５℃という広い温度範囲にわたって、垂直画角、水平画角、および対角画角の変化が小さい。
【００４３】
【表５】
2018055045.tif 000008
【００４４】
また、図４に示すように、本形態の広角レンズ１００は十分な解像度を有する。また、図４から分かるように、本形態の広角レンズ１００は、−４０℃から＋１０５℃という広い温度範囲にわたって十分な解像度を有する。
【００４５】
［実施の形態３］
図５は、本発明の実施の形態２に係る広角レンズ１００のＭＴＦ特性を示すグラフである。図５（ａ）、（ａ）、（ｂ）は各々、中央でのＭＴＦ特性を示すグラフ、タンジェンシャル方向のＭＴＦ特性を示すグラフ、およびサジタル方向のＭＴＦ特性を示すグラフであり、−４０℃、＋２５℃、＋８０℃、＋１０５℃の各温度における特性を示してある。表６に、本発明の実施の形態３に係る広角レンズ１００のレンズデータを示す。
【００４６】
【表６】
2018055045.tif 000009
【００４７】
本形態の広角レンズ１００において、第４レンズＬ４の像側Ｌｂの凸面（第１０面１０）の中心曲率半径Ｒ42は、−２．４０９９３ｍｍである。また、広角レンズ１００全体の焦点距離ｆ0（有効焦点距離）は、０．８７４８７ｍｍである。従って、中心曲率半径Ｒ42および広角レンズ１００全体の焦点距離ｆ0は、以下の第１条件式を満たしている。
（２×ｆ0）＝1.74974≦｜Ｒ42｜＝2.40993≦（5×ｆ0）＝4.37435
【００４８】
また、第４レンズＬ４の物体側Ｌａの凸面（第９面９）の中心曲率半径Ｒ41は、１１．５９５９３ｍｍである。従って、中心曲率半径をＲ41、Ｒ42は、以下の第２条件式を満たしている。
｜Ｒ41｜＝11.59593≧｜Ｒ42｜＝2.40993
【００４９】
また、第６レンズＬ６の中心厚Ｔ6は、１．９８４ｍｍであり、中心厚Ｔ6および第６レンズＬ６の物体側Ｌａの物体側Ｌａの凸面（第１３面１３）の光線有効エリアの周辺厚みＣ6は、０．７２２６ｍｍである。従って、中心厚Ｔ6および周辺厚みＣ6は、以下の第３条件式を満たしている。
２≦（Ｔ6／Ｃ6）＝2.7456≦３
【００５０】
それ故、表７および図５に示すように、本形態の広角レンズ１００も実施の形態１と同様な効果を奏する。表７には、本発明の実施の形態３に係る広角レンズ１００の画角−温度特性を示してあり、２５℃の温度からの画角の変化を示してある。表７から分かるように、本形態の広角レンズ１００では、−４０℃から＋１０５℃という広い温度範囲にわたって、垂直画角、水平画角、および対角画角の変化が小さい。
【００５１】
【表７】
2018055045.tif 000010
【００５２】
また、図５に示すように、本形態の広角レンズ１００は十分な解像度を有する。また、図５から分かるように、本形態の広角レンズ１００は、−４０℃から＋１０５℃という広い温度範囲にわたって十分な解像度を有する。
【００５３】
［他の実施の形態］
上記実施の形態において、第１レンズＬ１はガラスレンズであったが、第１レンズＬ１がプラスチックレンズである場合に本発明を適用してもよい。
【符号の説明】
【００５４】
Ｌ１…第１レンズ、Ｌ２…第２レンズ、Ｌ３…第３レンズ、Ｌ４…第４レンズ、Ｌ５…第５レンズ、Ｌ６…第６レンズ、Ｌ７…接合レンズ、Ｌａ…物体側、Ｌｂ…像側、５０…接着剤、６０…絞り、８０…撮像素子、１００…広角レンズ
【図１】
2018055045.tif 000011
【図２】
2018055045.tif 000012
【図３】
2018055045.tif 000013
【図４】
2018055045.tif 000014
【図５】
2018055045.tif 000015